(57)【要約】【課題】複数の熱交換部材が配列された室外側熱交換器において、隣接する熱交換部材の下端部の隙間に融解水が溜まることを防止する。【解決手段】室外側熱交換器（７Ａ）は、第１熱交換部材（１１）および第２熱交換部材（１２）が配列された室外側熱交換器であって、第１熱交換部材（１１）および第２熱交換部材（１２）の下端部どうしを密着させるための取付具（２０Ａ）を備える。【選択図】図３
2018091549.tif 000002
【特許請求の範囲】
【請求項１】
複数の熱交換部材が配列された室外側熱交換器であって、
前記複数の熱交換部材の下端部どうしの隙間を狭める取付具を備えることを特徴とする室外側熱交換器。
【請求項２】
前記取付具は、前記複数の熱交換部材のうち、両外側に配置された熱交換部材の外面を内側へ向けてそれぞれ押圧する第１押圧部および第２押圧部を備えることを特徴とする請求項１に記載の室外側熱交換器。
【請求項３】
前記取付具は、前記第１押圧部の下端と前記第２押圧部の下端とを接続する底部を備え、
前記底部には、前記底部に流入した水を外部へ排出する排水部が形成されていることを特徴とする請求項２に記載の室外側熱交換器。
【請求項４】
前記第１押圧部および前記第２押圧部には、前記第１押圧部および前記第２押圧部が対向する方向に開口する開口部が形成されていることを特徴とする請求項２または３に記載の室外側熱交換器。
【請求項５】
前記第１押圧部の上端部および前記第２押圧部の上端部には、上方に向かうにつれて、外側に傾斜する傾斜部が設けられていることを特徴とする請求項２〜４のいずれか１項に記載の室外側熱交換器。
【請求項６】
前記取付具は、前記両外側に配置された熱交換部材の外面の形状に沿う形状であることを特徴とする請求項２〜５のいずれか１項に記載の室外側熱交換器。
【請求項７】
請求項１〜６のいずれか１項に記載の室外側熱交換器を備えることを特徴とする空気調和機。
【発明の詳細な説明】
【技術分野】
【０００１】
本発明は、室外側熱交換器および当該室外側熱交換器を備える空気調和機に関する。
【背景技術】
【０００２】
室内側熱交換器と室外側熱交換器とを備えた空気調和機では、屋外の空気の温度が低い場合、暖房運転時に室外側熱交換器の表面に霜が発生してしまい、その結果、室外側熱交換器の熱交換能力が低下してしまう。そのため、空気調和機では上記霜を取り除くための運転（以降では、除霜運転と呼称する）を行う。
【０００３】
しかしながら、室外側熱交換器において、除霜運転によって融解した水（以降では、融解水とも呼称する）の排水性が悪い場合、暖房運転時に、室外側熱交換器の下端部に残存する融解水が凍ってしまい、室外側熱交換器への通風が妨げられてしまう。さらに、融解水が凍った氷は、除霜運転によっては融解されにくい。
【０００４】
上記の問題点を解決すべく、室外側熱交換器の下端部に融解水が残存しないようにすることができる空気調和機の室外ユニットが特許文献１に開示されている。
【０００５】
特許文献１に開示されている室外ユニットでは、室外側熱交換器と、室外側熱交換器
からの水滴を受けるドレンパンとから構成されている。そして、ドレンパンの底部のうち、室外側熱交換器の下面と対向するところには、室外側熱交換器に向けて突出して、室外側熱交換器の下面を支持し、網の目に形成された支持台が設けられている。上記の構成により、室外側熱交換器から流下した水滴が室外側熱交換器と支持台との接触する部分に溜まる水滴の量を低減させている。
【先行技術文献】
【特許文献】
【０００６】
【特許文献１】特開２０１０−３８４８６号公報（２０１０年２月１８日公開）
【発明の概要】
【発明が解決しようとする課題】
【０００７】
ところで、室外側熱交換器が、配列された複数の熱交換部材によって構成されている空気調和機が存在する。なお、以下では、主に、室外側熱交換器が第１熱交換部材および第２熱交換部材の２つの熱交換部材により構成されているものとして説明するがこれに限定されるものではない。このような、空気調和機では、図１９の（ａ）〜（ｃ）に示すように、第１熱交換部材及び第２熱交換部材の製造ばらつきなどにより、第１熱交換部材および第２熱交換部材の間に５ｍｍ程度の隙間が形成されてしまう。なお、図１９の（ａ）〜（ｃ）に示すように、熱交換部材は、平板、Ｌ字型、Ｕ字型などの熱交換部材があり、熱交換部材の折り曲げ箇所が多くなるほど、第１熱交換部材と第２熱交換部材との間の隙間が大きくなりやすい。Ｌ字型、Ｕ字型のように熱交換部材の長さを長くすることにより、熱交換部材の熱交換能力を向上させることができる。第１熱交換部材と第２熱交換部材との間に上記隙間が存在する場合、除霜運転時において、第１熱交換部材および第２熱交換部材の下端部における隙間に融解水が残存することがある。この場合、暖房運転時に、当該隙間に残存する融解水が凍ってしまい、室外側熱交換器への通風が妨げられてしまう。さらに、融解水が凍ることにより、第１熱交換部材の下端部と第２熱交換部材の下端部との隙間が広がるため、さらに融解水が残存しやすくなってしまう。また、上記隙間に形成された氷は、除霜運転では融解することが困難であるため、融解水の凍結が促進されてしまう。
【０００８】
この問題点に対し、融解水が残存しない程度まで熱交換部材間の隙間を開けることが考えられるが、室外側熱交換器のサイズが大型化することになる。
【０００９】
また、上述した特許文献１に記載の技術は、支持台が室外側熱交換器の下面を支持するものであるため、室外側熱交換器が、配列された複数の熱交換部材によって構成されている空気調和機に適用しても、上記隙間に残存する融解水を室外側熱交換器の外部へ排出することができるものではない。
【００１０】
本発明の一態様は、複数の熱交換部材が配列された室外側熱交換器において、隣接する熱交換部材の下端部の隙間に融解水が溜まることを防ぐことができる室外側熱交換器を提供することを目的とする。
【課題を解決するための手段】
【００１１】
上記の課題を解決するために、本発明の一態様に係る室外側熱交換器は、複数の熱交換部材が配列された室外側熱交換器であって、前記複数の熱交換部材の下端部どうしの隙間を狭める取付具を備える。
【発明の効果】
【００１２】
本発明の一態様によれば、複数の熱交換部材が配列された室外側熱交換器において、隣接する熱交換部材の下端部の隙間に融解水が溜まることを防ぐという効果を奏する。
【図面の簡単な説明】
【００１３】
【図１】本発明の実施形態１に係る空気調和機の要部の概略構成を示すブロック図である。
【図２】上記空気調和機が備える室外機の内部を示す斜視図である。
【図３】上記室外機が備える室外側熱交換器の斜視図である。
【図４】上記室外側熱交換器の底面図である。
【図５】図４におけるＡ−Ａ線断面における室外側熱交換器の下部の矢視断面図である。
【図６】上記室外側熱交換器が備える取付具の斜視図である。
【図７】（ａ）および（ｂ）は、本発明の実施形態１に係る取付具の変形例としての取付具の斜視図である。
【図８】（ａ）〜（ｃ）は、本発明の実施形態１に係る取付具の変形例としての取付具の断面図である。
【図９】本発明の実施形態１に係る取付具の変形例としての取付具の構成を示すものであり、（ａ）は取付具の斜視図であり、（ｂ）は取付具の断面図である。
【図１０】（ａ）〜（ｅ）は、本発明の実施形態１に係る室外側熱交換器の変形例としての室外側熱交換器の底面図である。
【図１１】本発明の実施形態２に係る室外側熱交換器の底面図である。
【図１２】（ａ）〜（ｄ）は、実施形態２に係る室外側熱交換器の変形例としての室外側熱交換器の底面図である。
【図１３】本発明の実施形態３に係る室外側熱交換器の底面図である。
【図１４】（ａ）〜（ｃ）は、本発明の実施形態３に係る室外側熱交換器の変形例としての室外側熱交換器の底面図である。
【図１５】本発明の実施形態４に係る室外側熱交換器を下方から見た斜視図である。
【図１６】上記室外側熱交換器の下部の鉛直方向の断面図である。
【図１７】上記室外側熱交換器が備える取付具の斜視図である。
【図１８】（ａ）〜（ｃ）は、本発明の実施形態４に係る取付具の変形例としての取付具の斜視図である。
【図１９】（ａ）〜（ｃ）は、従来の室外側熱交換器の底面図である。
【発明を実施するための形態】
【００１４】
〔実施形態１〕
以下、本発明の実施形態１における空気調和機１について、図１〜図６を参照しながら詳細に説明する。
【００１５】
（空気調和機１の構成）
空気調和機１の構成について、図１を参照しながら説明する。図１は、空気調和機１の要部の概略構成を示すブロック図である。
【００１６】
図１に示すように、空気調和機１は、室内機２と、室外機３とを備えている。
【００１７】
室内機２は、室内側熱交換器２ａを備えており、吸込口（不図示）から室内機２の内部に吸い込まれた室内空気と、室内側熱交換器２ａの内部を通過する冷媒との間で熱交換を行い、熱交換された空気を吹出口から室内に向けて吹き出す。
【００１８】
次に、室外機３について、図１および図２を参照しながら説明する。図２は、室外機３の内部を示す斜視図である。なお、図２は、室外機３からカバーおよび送風機を除去した状態における斜視図である。
【００１９】
室外機３は、図１および図２に示すように、圧縮機４と、四方弁５と、膨張弁６と、室外側熱交換器７Ａと、基台８とを備えている。
【００２０】
基台８には、室外機３の各種部材が適所に載置されている。
【００２１】
圧縮機４は、冷媒を圧縮して送出する。
【００２２】
四方弁５は、冷房運転（または、除霜運転）時、暖房運転時などの異なる運転モードにおいて冷媒の流通方向を切り替える。
【００２３】
膨張弁６は、冷媒の減圧および冷媒の流量の制御を行う。
【００２４】
室内側熱交換器２ａ、圧縮機４、四方弁５、膨張弁６、および室外側熱交換器７Ａとは、配管接続されて、冷媒回路を構成する。
【００２５】
室外側熱交換器７Ａは、屋外の空気と、室外側熱交換器７Ａの配管（後述する伝熱管１３）を通る冷媒との間で熱交換を行う。室外側熱交換器７Ａの詳細については、後述する。
【００２６】
空気調和機１において、冷房運転（または、除霜運転）時には、圧縮機４から送出された冷媒は、四方弁５、室外側熱交換器７Ａ、膨張弁６、室内側熱交換器２ａ、四方弁５の順に上記冷媒回路を循環して圧縮機４に吸入される。冷房運転時には、室外側熱交換器７Ａが凝縮器として、室内側熱交換器２ａが蒸発器として動作する。
【００２７】
また、空気調和機１において、暖房運転時には、圧縮機４から送出された冷媒は、四方弁５、室内側熱交換器２ａ、膨張弁６、室外側熱交換器７Ａ、四方弁５の順に上記冷媒回路を循環して圧縮機４に吸入される。暖房運転時には、室外側熱交換器７Ａが蒸発器として、室内側熱交換器２ａが凝縮器として動作する。
【００２８】
次に、室外側熱交換器７Ａについて、図３〜図５を参照しながら詳細に説明する。図３は、室外側熱交換器７Ａの斜視図である。図４は、室外側熱交換器７Ａの底面図である。図５は、図４におけるＡ−Ａ線断面における室外側熱交換器７Ａの下部の矢視断面図である。
【００２９】
図３〜図５に示すように、室外側熱交換器７Ａは、第１熱交換部材１１と、第２熱交換部材１２と、２つの取付具２０Ａとを備えている。なお、第１熱交換部材１１と、第２熱交換部材１２とは略同様の構成をしているため、ここでは、第１熱交換部材１１について説明し、第２熱交換部材１２についての説明は、第１熱交換部材１１と異なっている部分のみ説明する。
【００３０】
第１熱交換部材１１は、水平方向に等間隔に並べられた多数のフィンと、上下方向に配列され、上記多数のフィンを貫通する複数の伝熱管１３とを備えており、屋外の空気と伝熱管１３の内部を通る冷媒との間で熱交換を行う。上記フィンは、表面に親水性のコーティングがされている。なお、本願の図面では、上記多数のフィンが並べられた集合体を、板状部材のように簡略化して記載している。
【００３１】
第１熱交換部材１１は、図４に示すように、水平方向の断面形状が略Ｌ字型となっている。第１熱交換部材１１は、直角に屈曲する屈曲部１１ａと、伝熱管１３が四方弁５および膨張弁６と接続される側の端部である基端部１１ｂ（屈曲部１１ａからの距離が長い方の端部）と、基端部１１ｂとは逆側の端部である先端部１１ｃ（屈曲部１１ａからの距離が短い方の端部）とを備えている。同様に、第２熱交換部材１２は、屈曲部１２ａと、基端部１２ｂと、先端部１２ｃとを備えている。
【００３２】
第１熱交換部材１１と第２熱交換部材１２とは、互いに略平行に配列されている。以降では、第１熱交換部材１１における、第２熱交換部材１２と対向する面を内面１１ｄ、内面１１ｄとは反対側の面を外面１１ｅと呼称する。同様に、第２熱交換部材１２における、第１熱交換部材１１と対向する面を内面１２ｄ、内面１２ｄとは反対側の面を外面１２ｅと呼称する。
【００３３】
第１熱交換部材１１の基端部１１ｂと第２熱交換部材１２の基端部１２ｂとは、固定具１４により固定されており、同様に、第１熱交換部材１１の先端部１１ｃと第２熱交換部材１２の先端部１２ｃとは、固定具１５により固定されている。これにより、第１熱交換部材１１の基端部１１ｂと第２熱交換部材１２の基端部１２ｂとの隙間、および第１熱交換部材１１の先端部１１ｃと第２熱交換部材１２の先端部１２ｃとの隙間が約１ｍｍになっている。また、第１熱交換部材１１の下端部と第２熱交換部材１２の下端部には、第１熱交換部材１１の下端部と第２熱交換部材１２の下端部とを挟み込むように、後述する２つの取付具２０Ａが取り付けられている。
【００３４】
伝熱管１３の端部では、互いに隣接する伝熱管１３の端部どうしがＵ字状の連結管１３ａによって連結されており、複数の伝熱管１３および複数の連結管１３ａによって、第１熱交換部材１１において蛇行状の冷媒流路が形成されている。
【００３５】
次に、取付具２０Ａについて、図３〜図６を参照しながら説明する。図６は、取付具２０Ａの斜視図である。
【００３６】
取付具２０Ａは、図３に示すように、室外側熱交換器７Ａの下端（すなわち、第１熱交換部材１１および第２熱交換部材１２の下端）に取り付けられる部材であり、第１熱交換部材１１の下端部と第２熱交換部材１２の下端部との隙間を狭めるための部材である。取付具２０Ａを形成する材料は一定以上の強度を有するものであれば特に限定されるものではなく、金属や樹脂などによって形成することができる。本実施形態では、取付具２０Ａは、金属によって形成されている。取付具２０Ａは、図６に示すように、それぞれ３つの板状部材である側部２１Ａ（第１押圧部）と、側部２２Ａ（第２押圧部）と、底部２３Ａとを備えている。
【００３７】
側部２１Ａは、中央から下端まで開口した開口部２１Ａａを有するＵ字状になっている。同様に、側部２２Ａは、中央から下端まで開口した開口部２２Ａａを有するＵ字状になっている。側部２１Ａと側部２２Ａとは、互いに対向している。
【００３８】
底部２３Ａは、側部２１Ａの下端と、側部２２Ａの下端とを接続する、第１部材２３Ａａと第２部材２３Ａｂとを備えている。第１部材２３Ａａと第２部材２３Ａｂとの間には、中央から両側まで開口した開口部２３Ａｃ（排水部）が形成されている。
【００３９】
側部２１Ａと側部２２Ａとの間の距離（換言すれば、底部２３Ａの長さ）は、第１熱交換部材１１の幅（すなわち、内面１１ｄと外面１１ｅとの間の距離）と、第２熱交換部材１２の幅（すなわち、内面１２ｄと外面１２ｅとの間の距離）とを合わせた距離と同程度あるいは当該距離よりも約１ｍｍ長くなっている。これにより、取付具２０Ａを室外側熱交換器７Ａに取り付けたときに、側部２１Ａが第１熱交換部材１１の外面１１ｅを内面１１ｄに向けて押圧するとともに、側部２２Ａが第２熱交換部材１２の外面１２ｅを内面１２ｄに向けて押圧する。その結果、第１熱交換部材１１および第２熱交換部材１２の製造のばらつきなどによって生じる第１熱交換部材１１と第２熱交換部材１２との隙間（例えば、約５ｍｍの隙間）を小さくし、第１熱交換部材１１の下端部と、第２熱交換部材１２の下端部との間の距離を小さくする（具体的には、約１ｍｍにする）ことができる。本発明者らは、第１熱交換部材１１の下端部と、第２熱交換部材１２の下端部との間の距離を小さくする（約２ｍｍ以下、好ましくは、約１ｍｍ以下）にすることにより、第１熱交換部材１１の下端部と、第２熱交換部材１２の下端部との間における排水性を高めることができ、これにより、除霜運転時の融解水を室外側熱交換器７Ａから外部へ排水することができることを見出した。なお、第１熱交換部材１１の下端部と、第２熱交換部材１２の下端部とは、取付具２０Ａによって接していてもよい。
【００４０】
側部２１Ａおよび側部２２Ａの上下方向の長さは、図５に示すように、取付具２０Ａを室外側熱交換器７Ａに取り付けたときに、側部２１Ａおよび側部２２Ａの上端が、下方から１本目または２本目の伝熱管１３の高さの位置となる長さであることが好ましいが、これに限定されるものではない。
【００４１】
側部２１Ａおよび側部２２Ａの、第１熱交換部材１１および第２熱交換部材１２と対向する水平方向の長さは、押圧するフィンの枚数が２０枚以上となる長さであることが望ましいが、これに限定されるものではない。
【００４２】
＜取付具２０Ａの取付位置＞
次に、室外側熱交換器７Ａにおける取付具２０Ａの取付位置について図４を参照しながら説明する。なお、図４では、簡略化のため、取付具２０Ａにおける開口部２１Ａａ・２２Ａａ・２３Ａｃを省略している。
【００４３】
図４に示すように、第１熱交換部材１１の、屈曲部１１ａと基端部１１ｂとの間を４等分する位置をそれぞれ屈曲部１１ａ側から位置Ｐ１、位置Ｐ２および位置Ｐ３としたときに、取付具２０Ａは、位置Ｐ１および位置Ｐ３において、第１熱交換部材１１および第２熱交換部材１２の下端部に取り付けられている。取付具２０Ａを上記の位置に配置することにより、室外側熱交換器７Ａの水平方向の中央部において、第１熱交換部材１１の下端部と、第２熱交換部材１２の下端部との間の距離を約１ｍｍにすることができる。
【００４４】
以上のように、室外側熱交換器７Ａは、水平方向の断面が略Ｌ字型である第１熱交換部材１１および第２熱交換部材１２が配列された室外側熱交換器であって、第１熱交換部材１１および第２熱交換部材１２の下端部どうしを密着させるための取付具２０Ａを備えることを特徴としている。
【００４５】
上記の特徴により、室外側熱交換器７Ａは、第１熱交換部材１１の下端部と、第２熱交換部材１２の下端部との間の距離を小さくすることができる。その結果、第１熱交換部材１１の下端部と、第２熱交換部材１２の下端部との間における排水性を高めることができ、これにより、除霜運転時の融解水を室外側熱交換器７Ａから外部へ排水することができる。すなわち、室外側熱交換器７Ａは、第１熱交換部材１１の下端部と第２熱交換部材１２の下端部との隙間に融解水が溜まることを防ぐことができる。
【００４６】
また、室外側熱交換器７Ａでは、取付具２０Ａが、第１熱交換部材１１の外面１１ｅを内面１１ｄに向けて押圧する側部２１Ａと、第２熱交換部材１２の外面１２ｅを内面１２ｄに向けて押圧する側部２２Ａとを備えている。
【００４７】
上記の構成により、取付具２０Ａが、側部２１Ａおよび側部２２Ａによって第１熱交換部材１１の外面１１ｅおよび第２熱交換部材１２の外面１２ｅを内側へ向けて押圧するので、第１熱交換部材１１の下端部と、第２熱交換部材１２の下端部との間の距離を小さくすることができる。
【００４８】
また、室外側熱交換器７Ａでは、取付具２０Ａが、側部２１Ａの下端と、側部２２Ａの下端Ａとを接続する底部２３Ａを備えており、底部２３Ａには開口部２３Ａｃが形成されている。これにより、除霜運転時に底部２３Ａに流入した融解水を開口部２３Ａｃから室外側熱交換器７Ａの外部へより排出しやすくなっている。
【００４９】
また、室外側熱交換器７Ａでは、側部２１Ａおよび側部２２Ａには、開口部２１Ａａおよび開口部２２Ａａがそれぞれ形成されている。これにより、第１熱交換部材１１および第２熱交換部材１２への外気の通風が妨げられることを抑制することができるので、第１熱交換部材１１および第２熱交換部材１２の熱交換能力が低下することを抑制することができる。
【００５０】
また、側部２１Ａ、側部２２Ａおよび底部２３Ａは、第１熱交換部材１１および第２熱交換部材１２の外面である、外面１１ｅ、外面１２ｅ、および下端部の形状に沿う形状となっている。これにより、取付具２０Ａをコンパクトに設計することができるので、室外側熱交換器７Ａが大型化することを抑制することができる。
【００５１】
なお、室外側熱交換器が、配列された第１熱交換部材、第２熱交換部材および第３熱交換部材を備える場合においても、第１熱交換部材、第２熱交換部材および第３熱交換部材を挟み込むように取付具２０Ａを室外側熱交換器に取り付けることにより、側部２１Ａおよび側部２２Ａが両外側に配置された熱交換部材の外面を内側へ向けてそれぞれ押圧する。その結果、隣接する熱交換部材の下端部における隙間を小さくすることができるので、隣接する熱交換部材の下端部の隙間に融解水が溜まることを防ぐことができる。
【００５２】
＜変形例１＞
次に、取付具２０Ａの変形例としての取付具２０Ｂ〜２０Ｇについて、図７〜図９を参照しながら説明する。なお、説明の便宜上、前記実施形態にて説明した部材と同じ機能を有する部材については、同じ符号を付記し、その説明を省略する。
【００５３】
図７の（ａ）および（ｂ）は、取付具２０Ｂおよび２０Ｃの構成を示す斜視図である。図８の（ａ）〜（ｃ）は、取付具２０Ｄ〜２０Ｆの構成を示す断面図である。図９は、取付具２０Ｇの構成を示すものであり、（ａ）は取付具２０Ｇの斜視図であり、（ｂ）は取付具２０Ｇの断面図である。
【００５４】
取付具２０Ｂは、側部２１Ｂ、側部２２Ｂおよび底部２３Ｂの形状が、取付具２０Ａの側部２１Ａ、側部２２Ａおよび底部２３Ａの形状と異なっている。取付具２０Ｂは、図７の（ａ）に示すように、それぞれ３つの板状部材である側部２１Ｂ（第１押圧部）と、側部２２Ｂ（第２押圧部）と、底部２３Ｂとを備えている。
【００５５】
側部２１Ｂおよび側部２２Ｂは、矩形状をしており、中央に矩形状の開口部２１Ｂａおよび開口部２２Ｂａがそれぞれ形成されている。側部２１Ｂと側部２２Ｂとは、互いに対向している。
【００５６】
底部２３Ｂは、矩形状をしており、中央に矩形状の開口部２３Ｂｃ（排水部）が形成されている。底部２３Ｂは、側部２１Ｂの下端と、側部２２Ｂの下端とを接続している。
【００５７】
上記の構成を有する取付具２０Ｂを室外側熱交換器７Ａの下端（すなわち、第１熱交換部材１１および第２熱交換部材１２の下端）に取り付けることにより、取付具２０Ａと同様の効果を得ることができる。また、取付具２０Ａに比べて、開口部の領域が狭いので、取付具２０Ｂの強度を向上させることができる。
【００５８】
取付具２０Ｃは、側部２１Ｃ、側部２２Ｃおよび底部２３Ｃの形状が、取付具２０Ａの側部２１Ａ、側部２２Ａおよび底部２３Ａの形状と異なっている。取付具２０Ｃは、図７の（ｂ）に示すように、それぞれ３つの板状部材である側部２１Ｃ（第１押圧部）と、側部２２Ｃ（第２押圧部）と、底部２３Ｃとを備えている。
【００５９】
側部２１Ｃおよび側部２２Ｃは、矩形状をしている。側部２１Ｃと側部２２Ｃとは、互いに対向している。
【００６０】
底部２３Ｃは、矩形状をしており、中央に円形状の開口部２３Ｃｃ（排水部）が２つ形成されている。底部２３Ｂは、側部２１Ｂの下端と、側部２２Ｂの下端とを接続している。
【００６１】
上記の構成を有する取付具２０Ｃを室外側熱交換器７Ａの下端に取り付けることにより、取付具２０Ａと同様の効果を得ることができる。また、取付具２０Ａ・２０Ｂに比べて、開口部の領域が狭いので、取付具２０Ｃの強度を向上させることができる。また、取付具２０Ａ・２０Ｂとは異なり、側部２１Ｃおよび側部２２Ｃに開口部が形成されていない。そのため、側部２１Ｃおよび側部２２Ｃが押圧するフィンの領域が広くなり、押圧によるフィンへの負担を低減することができる。なお、側部２１Ｃおよび側部２２Ｃに、開口部を設けてもよい。
【００６２】
取付具２０Ｄ〜２０Ｆは、底部２３Ｄ〜２３Ｆの形状が、取付具２０Ａの底部２３Ａの形状と異なっている。
【００６３】
取付具２０Ｄは、図８の（ａ）に示すように、底部２３Ｄを備えている。底部２３Ｄは、矩形状をしており、底部２３Ｄの一部には第１熱交換部材１１と第２熱交換部材１２とが配列される方向とは垂直な方向に延び、下方に凸形状の溝２３Ｄｄ（排水部）が形成されている。
【００６４】
取付具２０Ｅは、図８の（ｂ）に示すように、底部２３Ｅを備えている。底部２３Ｅは、波板状になっており、第１熱交換部材１１と第２熱交換部材１２とが配列される方向とは垂直な方向に延びる複数の溝２３Ｅｄ（排水部）が形成されている。
【００６５】
取付具２０Ｆは、図８の（ｃ）に示すように、底部２３Ｆを備えている。底部２３Ｆは、全体として、第１熱交換部材１１と第２熱交換部材１２とが配列される方向とは垂直な方向に延び、下方に凸形状の溝２３Ｆｄ（排水部）を形成するように、下方に向けて突出している。
【００６６】
取付具２０Ｄ〜２０Ｆは、上記のように、底部２３Ｄ〜２３Ｆが、排水部としての溝２３Ｄｄ、溝２３Ｅｄまたは、溝２３Ｆｄを備えている。これにより、溝２３Ｄｄ、溝２３Ｅｄまたは、溝２３Ｆｄを介して、除霜運転時の融解水を室外側熱交換器７Ａの外部へより排出しやすくなっている。
【００６７】
取付具２０Ｇは、図９の（ａ）および（ｂ）に示すように、取付具２０Ａの構成に加えて、ガイド部２４（傾斜部）を備えている。
【００６８】
ガイド部２４は、側部２１Ａおよび側部２２Ａの上端部にそれぞれ設けられており、上方に向かうにつれて外側に傾斜している。これにより、室外側熱交換器７Ａの下端（すなわち、第１熱交換部材１１および第２熱交換部材１２の下端）に取付具２０Ｃを容易に取り付けることができる。
【００６９】
＜変形例２＞
次に、室外側熱交換器７Ａの変形例としての室外側熱交換器７Ｂ〜７Ｆについて、図１０を参照しながら説明する。図１０は、室外側熱交換器７Ａの変形例としての室外側熱交換器の構成を示すものであり、（ａ）〜（ｅ）は、室外側熱交換器７Ｂ〜７Ｆの底面図である。
【００７０】
室外側熱交換器７Ｂは、図１０の（ａ）に示すように、第１熱交換部材１１の下端部と第２熱交換部材１２の下端部とを挟み込むように３つの取付具２０Ａが取り付けられている。３つの取付具２０Ａのうち２つの取付具２０Ａは、室外側熱交換器７Ａと同様に、位置Ｐ１および位置Ｐ３において、それぞれ第１熱交換部材１１および第２熱交換部材１２の下端部に取り付けられている。残り１つの取付具２０Ａは、第１熱交換部材１１の、屈曲部１１ａと先端部１１ｃとの間を２等分する位置である位置Ｐ４において、第１熱交換部材１１および第２熱交換部材１２の下端部に取り付けられている。
【００７１】
室外側熱交換器７Ｃは、図１０の（ｂ）に示すように、第１熱交換部材１１の下端部と第２熱交換部材１２の下端部とを挟み込むように４つの取付具２０Ａが取り付けられている。４つの取付具２０Ａは、位置Ｐ１〜Ｐ４において、それぞれ第１熱交換部材１１および第２熱交換部材１２の下端部に取り付けられている。
【００７２】
室外側熱交換器７Ｄは、図１０の（ｃ）に示すように、第１熱交換部材１１の下端部と第２熱交換部材１２の下端部とを挟み込むように３つの取付具２０Ａが取り付けられている。３つの取付具２０Ａのうち１つの取付具２０Ａは、位置Ｐ４において第１熱交換部材１１および第２熱交換部材１２の下端部に取り付けられている。残り２つの取付具２０Ａは、第１熱交換部材１１の、屈曲部１１ａと基端部１１ｂとの間を３等分する位置である位置Ｐ５および位置Ｐ６において、それぞれ第１熱交換部材１１および第２熱交換部材１２の下端部に取り付けられている。
【００７３】
室外側熱交換器７Ｅは、図１０の（ｄ）に示すように、第１熱交換部材１１の下端部と第２熱交換部材１２の下端部とを挟み込むように２つの取付具２０Ａが取り付けられている。２つの取付具２０Ａは、位置Ｐ２（すなわち、屈曲部１１ａと基端部１１ｂとの間を２等分する位置）および位置Ｐ４において、それぞれ第１熱交換部材１１および第２熱交換部材１２の下端部に取り付けられている。
【００７４】
室外側熱交換器７Ｆは、図１０の（ｅ）に示すように、第１熱交換部材１１の下端部と第２熱交換部材１２の下端部とを挟み込むように２つの取付具２０Ａが取り付けられている。２つの取付具２０Ａは、位置Ｐ２および屈曲部１１ａにおいて、それぞれ第１熱交換部材１１および第２熱交換部材１２の下端部に取り付けられている。
【００７５】
以上のように、水平方向の断面が略Ｌ字型である室外側熱交換器において、取付具２０Ａの取付個数および取付位置は、室外側熱交換器７Ａにおける、取付具２０Ａの取付個数および取付位置に限られない。取付具２０Ａの取付個数を多くすると、部品点数が多くなるという欠点があるが、その一方で、第１熱交換部材１１の下端部と、第２熱交換部材１２の下端部との間の距離を広範囲において小さくすることができる。また、第１熱交換部材１１と第２熱交換部材１２との間の隙間が大きくなりやすい箇所（具体的には、屈曲部１１ａの位置、並びに基端部１１ｂおよび先端部１１ｃからの離れている箇所）に取付具２０Ａを取り付けることにより、第２熱交換部材１２の下端部との間の距離を広範囲において小さくすることができる。
【００７６】
〔実施形態２〕
本発明の他の実施形態について、図１１に基づいて説明すれば、以下のとおりである。なお、説明の便宜上、前記実施形態にて説明した部材と同じ機能を有する部材については、同じ符号を付記し、その説明を省略する。
【００７７】
本実施形態における室外側熱交換器３０Ａは、実施形態１における室外側熱交換器７Ａと形状が異なっている。
【００７８】
室外側熱交換器３０Ａについて、図１１を参照しながら説明する。図１１は、室外側熱交換器３０Ａの底面図である。
【００７９】
図１１に示すように、室外側熱交換器３０Ａは、第１熱交換部材３１と、第２熱交換部材３２と、２つの取付具２０Ａとを備えている。なお、第１熱交換部材３１と、第２熱交換部材３２とは略同様の構成をしているため、ここでは、第１熱交換部材３１について説明し、第２熱交換部材３２についての説明は、第１熱交換部材３１と異なっている部分のみ説明する。
【００８０】
第１熱交換部材３１は、水平方向の断面形状が略Ｕ字型となっている。第１熱交換部材３１は、直角に屈曲する２つの屈曲部３１ａ、屈曲部３１ｂと、伝熱管１３が四方弁５および膨張弁６と接続される側の端部（屈曲部３１ａに近い方の端部）である基端部３１ｃと、基端部３１ｃとは逆側の端部（屈曲部３１ｂに近い方の端部）である先端部３１ｄとを備えている。なお、屈曲部３１ｂと先端部３１ｄとの間の距離は、屈曲部３１ａと基端部３１ｃとの距離よりも長くなっている。同様に、第２熱交換部材１２は、屈曲部３２ａと、屈曲部３２ｂと、基端部３２ｃと、先端部３２ｄとを備えている。
【００８１】
第１熱交換部材３１と第２熱交換部材３２とは、互いに略平行に配列されている。以降では、第１熱交換部材３１における、第２熱交換部材３２と対向する面を内面３１ｅ、内面３１ｅとは反対側の面を外面３１ｆと呼称する。同様に、第２熱交換部材３２における、第１熱交換部材３１と対向する面を内面３２ｅ、内面３２ｅとは反対側の面を外面３２ｆと呼称する。
【００８２】
第１熱交換部材３１の下端部と第２熱交換部材３２の下端部には、第１熱交換部材３１の下端部と第２熱交換部材３２の下端部とを挟み込むように、２つの取付具２０Ａが取り付けられている。取付具２０Ａを室外側熱交換器３０Ａの下端（すなわち、第１熱交換部材３１および第２熱交換部材３２の下端）に取り付けることにより、側部２１Ａが第１熱交換部材３１の外面３１ｆを内面３１ｅに向けて押圧するとともに、側部２２Ａが第２熱交換部材３２の外面３２ｆを内面３２ｅに向けて押圧する。その結果、室外側熱交換器３０Ａの水平方向の中央部において、第１熱交換部材３１の下端部と、第２熱交換部材３２の下端部との間の距離を小さくすることができる。
【００８３】
次に、室外側熱交換器３０Ａにおける取付具２０Ａの取付位置について説明する。
【００８４】
第１熱交換部材３１の、屈曲部３１ａと屈曲部３１ｂとの間を４等分する位置をそれぞれ屈曲部１１ａ側から位置Ｐ７、位置Ｐ８および位置Ｐ９としたときに、取付具２０Ａは、位置Ｐ７および位置Ｐ９において、第１熱交換部材３１および第２熱交換部材３２の下端部に取り付けられている。取付具２０Ａを上記の位置に配置することにより、室外側熱交換器３０Ａの水平方向の中央部において、第１熱交換部材３１の下端部と、第２熱交換部材３２の下端部との間の距離を小さくすることができる。
【００８５】
以上のように、室外側熱交換器３０Ａは、水平方向の断面が略Ｕ字型である第１熱交換部材３１および第２熱交換部材３２が配列された室外側熱交換器であって、第１熱交換部材３１および第２熱交換部材３２の下端部どうしを密着させるための取付具２０Ａを備えることを特徴としている。
【００８６】
上記の特徴により、室外側熱交換器３０Ａは、第１熱交換部材３１の下端部と、第２熱交換部材３２の下端部との間の距離を小さくすることができる。その結果、第１熱交換部材３１の下端部と、第２熱交換部材３２の下端部との間における排水性を高めることができ、これにより、除霜運転時の融解水を室外側熱交換器３０Ａから外部へ排水することができる。すなわち、室外側熱交換器３０Ａは、第１熱交換部材の下端部と第２熱交換部材の下端部との隙間に融解水が溜まることを防ぐことができる。
【００８７】
＜変形例３＞
次に、室外側熱交換器３０Ａの変形例としての室外側熱交換器３０Ｂ〜３０Ｅについて、図１２を参照しながら説明する。図１２は、室外側熱交換器３０Ａの変形例としての室外側熱交換器の構成を示すものであり、（ａ）〜（ｄ）は、室外側熱交換器３０Ｂ〜３０Ｅの底面図である。
【００８８】
室外側熱交換器３０Ｂは、図１２の（ａ）に示すように、第１熱交換部材３１の下端部と第２熱交換部材３２の下端部とを挟み込むように３つの取付具２０Ａが取り付けられている。３つの取付具２０Ａのうち２つの取付具２０Ａは、位置Ｐ７および位置Ｐ９において、第１熱交換部材１１および第２熱交換部材１２の下端部に取り付けられている。残り１つの取付具２０Ａは、第１熱交換部材３１の、屈曲部３１ｂと先端部３１ｄとの間を２等分する位置である位置Ｐ１０において、第１熱交換部材３１および第２熱交換部材３２の下端部に取り付けられている。
【００８９】
室外側熱交換器３０Ｃは、図１２の（ｂ）に示すように、第１熱交換部材３１の下端部と第２熱交換部材３２の下端部とを挟み込むように４つの取付具２０Ａが取り付けられている。４つの取付具２０Ａは、位置Ｐ７〜Ｐ１０において、それぞれ第１熱交換部材１１および第２熱交換部材１２の下端部に取り付けられている。
【００９０】
室外側熱交換器３０Ｄは、図１２の（ｃ）に示すように、第１熱交換部材３１の下端部と第２熱交換部材３２の下端部とを挟み込むように２つの取付具２０Ａが取り付けられている。２つの取付具２０Ａは、位置Ｐ８（すなわち、屈曲部３１ａと屈曲部３１ｂとの間を２等分する位置）および位置Ｐ１０において、それぞれ第１熱交換部材３１および第２熱交換部材３２の下端部に取り付けられている。
【００９１】
室外側熱交換器３０Ｅは、図１２の（ｄ）に示すように、第１熱交換部材３１の下端部と第２熱交換部材３２の下端部とを挟み込むように２つの取付具２０Ａが取り付けられている。２つの取付具２０Ａのうち１つの取付具２０Ａは、位置Ｐ１０において第１熱交換部材３１および第２熱交換部材３２の下端部に取り付けられている。残り１つの取付具２０Ａは、第１熱交換部材３１の、基端部３１ｃと先端部３１ｄとを折り曲げていない場合における基端部３１ｃと先端部３１ｄとの間を２等分する位置である位置Ｐ１１において、第１熱交換部材３１および第２熱交換部材３２の下端部に取り付けられている。
【００９２】
以上のように、水平方向の断面が略Ｕ字型である室外側熱交換器において、取付具２０Ａの取付個数および取付位置は、室外側熱交換器３０Ａにおける、取付具２０Ａの取付個数および取付位置に限られない。特に、第１熱交換部材３１と第２熱交換部材３２との間の隙間が大きくなりやすい箇所（具体的には、基端部３１ｃおよび先端部３１ｄからの離れている箇所）、屈曲部と端部との間の距離が長い箇所（具体的には、屈曲部３１ｂと先端部３１ｄとの間を２等分する位置Ｐ１０）などに取付具２０Ａを取り付けることにより、第２熱交換部材１２の下端部との間の距離を広範囲において小さくすることができる。
【００９３】
〔実施形態３〕
本発明の他の実施形態について、図１３に基づいて説明すれば、以下のとおりである。なお、説明の便宜上、前記実施形態にて説明した部材と同じ機能を有する部材については、同じ符号を付記し、その説明を省略する。
【００９４】
本実施形態における室外側熱交換器４０Ａは、実施形態１における室外側熱交換器７Ａと形状が異なっている。
【００９５】
室外側熱交換器４０Ａについて、図１３を参照しながら説明する。図１３は、室外側熱交換器４０Ａの底面図である。
【００９６】
図１３に示すように、室外側熱交換器４０Ａは、第１熱交換部材４１と、第２熱交換部材４２と、２つの取付具２０Ａとを備えている。なお、第１熱交換部材４１と、第２熱交換部材４２とは略同様の構成をしているため、ここでは、第１熱交換部材４１について説明し、第２熱交換部材４２についての説明は、第１熱交換部材４１と異なっている部分のみ説明する。
【００９７】
第１熱交換部材４１は、水平方向の断面形状が略直線である平板状となっている。第１熱交換部材４１は、伝熱管１３が四方弁５および膨張弁６と接続される側の端部である基端部４１ａと、基端部４１ａとは逆側の端部である先端部４１ｂとを備えている。同様に、第２熱交換部材４２は、基端部４２ａと、先端部４２ｂとを備えている。
【００９８】
第１熱交換部材４１と第２熱交換部材４２とは、互いに略平行に配列されている。以降では、第１熱交換部材４１における、第２熱交換部材４２と対向する面を内面４１ｃ、内面４１ｃとは反対側の面を外面４１ｄと呼称する。同様に、第２熱交換部材４２における、第１熱交換部材４１と対向する面を内面４２ｃ、内面４２ｃとは反対側の面を外面４２ｄと呼称する。
【００９９】
第１熱交換部材４１の下端部と第２熱交換部材４２の下端部には、第１熱交換部材４１の下端部と第２熱交換部材４２の下端部とを挟み込むように、２つの取付具２０Ａが取り付けられている。取付具２０Ａを室外側熱交換器４０Ａの下端（すなわち、第１熱交換部材４１および第２熱交換部材４２の下端）に取り付けることにより、側部２１Ａが第１熱交換部材４１の外面４１ｄを内面４１ｃに向けて押圧するとともに、側部２２Ａが第２熱交換部材４２の外面４２ｄを内面４２ｃに向けて押圧する。その結果、室外側熱交換器４０Ａの水平方向の中央部において、第１熱交換部材４１の下端部と、第２熱交換部材４２の下端部との間の距離を小さくすることができる。
【０１００】
次に、室外側熱交換器４０Ａにおける取付具２０Ａの取付位置について説明する。
【０１０１】
第１熱交換部材３１の、基端部４１ａと先端部４１ｂとの間を４等分する位置をそれぞれ先端部４１ｂ側から位置Ｐ１２、位置Ｐ１３および位置Ｐ１４としたときに、取付具２０Ａは、位置Ｐ１２および位置Ｐ１４において、それぞれ第１熱交換部材４１および第２熱交換部材４２の下端部に取り付けられている。取付具２０Ａを上記の位置に配置することにより、室外側熱交換器４０Ａの水平方向の中央部において、第１熱交換部材４１の下端部と、第２熱交換部材４２の下端部との間の距離を小さくすることができる。
【０１０２】
以上のように、室外側熱交換器４０Ａは、水平方向の断面形状が略直線である平板状の第１熱交換部材４１および第２熱交換部材４２が配列された室外側熱交換器であって、第１熱交換部材４１および第２熱交換部材４２の下端部どうしを密着させるための取付具２０Ａを備えることを特徴としている。
【０１０３】
上記の特徴により、室外側熱交換器４０Ａは、第１熱交換部材４１の下端部と、第２熱交換部材４２の下端部との間の距離を小さくすることができる。その結果、第１熱交換部材４１の下端部と、第２熱交換部材４２の下端部との間における排水性を高めることができ、これにより、除霜運転時の融解水を室外側熱交換器４０Ａから外部へ排水することができる。すなわち、室外側熱交換器４０Ａは、第１熱交換部材の下端部と第２熱交換部材の下端部との隙間に融解水が溜まることを防ぐことができる。
【０１０４】
＜変形例４＞
次に、室外側熱交換器４０Ａの変形例としての室外側熱交換器４０Ｂ〜４０Ｄについて、図１４を参照しながら説明する。図１４は、室外側熱交換器４０Ａの変形例としての室外側熱交換器の構成を示すものであり、（ａ）〜（ｃ）は、室外側熱交換器４０Ｂ〜４０Ｄの底面図である。
【０１０５】
室外側熱交換器４０Ｂは、図１４の（ａ）に示すように、第１熱交換部材３１の下端部と第２熱交換部材３２の下端部とを挟み込むように３つの取付具２０Ａが取り付けられている。３つの取付具２０Ａは、位置Ｐ１２〜Ｐ１４において、それぞれ第１熱交換部材１１および第２熱交換部材１２の下端部に取り付けられている。
【０１０６】
室外側熱交換器４０Ｃは、図１４の（ｂ）に示すように、第１熱交換部材３１の下端部と第２熱交換部材３２の下端部とを挟み込むように２つの取付具２０Ａが取り付けられている。２つの取付具２０Ａは、基端部４１ａと先端部４１ｂとの間を３等分する位置である位置Ｐ１５および位置Ｐ１６において、それぞれ第１熱交換部材１１および第２熱交換部材１２の下端部に取り付けられている。
【０１０７】
室外側熱交換器４０Ｄは、図１４の（ｃ）に示すように、第１熱交換部材３１の下端部と第２熱交換部材３２の下端部とを挟み込むように１つの取付具２０Ａが取り付けられている。取付具２０Ａは、位置Ｐ１３（すなわち、基端部４１ａと先端部４１ｂとの間を２等分する位置）において、第１熱交換部材３１および第２熱交換部材３２の下端部に取り付けられている。
【０１０８】
以上のように、水平方向の断面が略Ｕ字型である室外側熱交換器において、取付具２０Ａの取付個数および取付位置は、室外側熱交換器４０Ａにおける、取付具２０Ａの取付個数および取付位置限られない。特に、第１熱交換部材３１と第２熱交換部材３２との間の隙間が大きくなりやすい箇所（具体的には、基端部３１ｃおよび先端部３１ｄからの離れている箇所）に取付具２０Ａを取り付けることにより、第２熱交換部材１２の下端部との間の距離を広範囲において小さくすることができる。
【０１０９】
〔実施形態４〕
本発明の他の実施形態について、図１５    〜図１７に基づいて説明すれば、以下のとおりである。なお、説明の便宜上、前記実施形態にて説明した部材と同じ機能を有する部材については、同じ符号を付記し、その説明を省略する。
【０１１０】
本実施形態における室外側熱交換器５０Ａは、実施形態２における室外側熱交換器３０Ａと形状が異なっている。
【０１１１】
室外側熱交換器５０Ａについて、図１５および図１６を参照しながら説明する。図１５は、室外側熱交換器５０Ａを下方から見た斜視図である。図１６は、室外側熱交換器５０Ａの下部の鉛直方向の断面図である。
【０１１２】
図１５および図１６に示すように、室外側熱交換器５０Ａは、第１熱交換部材３１と、第２熱交換部材５２と、２つの取付具６０Ａとを備えている。
【０１１３】
第２熱交換部材５２は、実施形態２における第２熱交換部材３２と下端部の形状が異なっている。第２熱交換部材５２が備える複数のフィンの下端部は、第１熱交換部材３１に向けて折り曲げられている。これにより、図１６に示すように、第２熱交換部材５２の下端部には、下方に向かうにつれて第１熱交換部材３１へ向かって傾斜する傾斜面５２ａが形成されている。第２熱交換部材５２は、傾斜面５２ａが形成されていることにより、第２熱交換部材５２の下端部に水が溜まることを抑制できるようになっている。
【０１１４】
第１熱交換部材３１と第２熱交換部材５２とは、互いに略平行に配列されている。以降では、第２熱交換部材５２における、第１熱交換部材３１と対向する面を内面５２ｂ、内面５２ｂとは反対側の面を外面５２ｃと呼称する。
【０１１５】
第１熱交換部材３１の下端部と第２熱交換部材５２の下端部には、第１熱交換部材３１の下端部と第２熱交換部材５２の下端部とを挟み込むように、２つの取付具６０Ａが取り付けられている。
【０１１６】
次に、取付具６０Ａについて、図１６および図１７を参照しながら説明する。図１７は、取付具６０Ａの斜視図である。
【０１１７】
取付具６０Ａは、図１６に示すように、室外側熱交換器５０Ａの下端（すなわち、第１熱交換部材３１および第２熱交換部材５２の下端）に取り付けられる部材であり、第１熱交換部材３１の下端部と第２熱交換部材５２の下端部との隙間を狭めるための部材である。取付具６０Ａは、図１７に示すように、側部（第１押圧部）６１Ａと、側部（第２押圧部）６２Ａと、底部６３Ａと、ガイド部６６（傾斜部）とを備えている。
【０１１８】
側部６１Ａは、中央から下端まで開口した開口部６１Ａａを有するＵ字状になっている。同様に、側部６２Ａは、中央から下端まで開口した開口部６２Ａａを有するＵ字状になっている。側部６１Ａと側部６２Ａとは、互いに対向している。
【０１１９】
底部６３Ａは、側部６１Ａの下端と、側部６２Ａの下端とを接続する、第１部材６４Ａと第２部材６５Ａとを備えている。第１部材６４Ａは、水平部材６４Ａａと、傾斜部材６４Ａｂとを備えている。水平部材６４Ａａは、側部６１Ａの下端と第２部材６５Ａとを接続しており、水平方向に延びている。傾斜部材６４Ａｂは、第１部材６４Ａと側部６２Ａの下端とを接続しており、第２熱交換部材５２の傾斜面５２ａと平行に延びている。同様に、第２部材６５Ａは、水平部材６５Ａａと、傾斜部材６５Ａｂとを備えている。第１部材６４Ａと第２部材６５Ａとの間には、中央から両側まで開口した開口部６３Ａｃ（排水部）が形成されている。
【０１２０】
ガイド部６６は、側部６１Ａおよび側部６２Ａの上端部にそれぞれ設けられており、上方に向かうにつれて外側に傾斜している。これにより、室外側熱交換器５０Ａの下端（すなわち、第１熱交換部材３１および第２熱交換部材５２の下端）に取付具６０Ａを容易に取り付けることができる。
【０１２１】
側部６１Ａと側部６２Ａとの間の距離は、第１熱交換部材３１の幅（すなわち、内面３１ｅと外面３１ｆとの間の距離）と、第２熱交換部材５２の幅（すなわち、内面５２ｂと外面５２ｃとの間の距離）とを合わせた距離と同程度あるいは当該距離よりも約１ｍｍ長くなっている。これにより、取付具６０Ａを室外側熱交換器７Ａに取り付けたときに、側部６１Ａが第１熱交換部材３１の外面３１ｆを内面３１ｅに向けて押圧するとともに、側部６２Ａが第２熱交換部材５２の外面５２ｃを内面５２ｂに向けて押圧する。その結果、第１熱交換部材３１と第２熱交換部材５２との隙間を小さくし、第１熱交換部材１１の下端部と、第２熱交換部材１２の下端部との間の距離を小さくすることができる。その結果、第１熱交換部材３１の下端部と、第２熱交換部材５２の下端部との間における排水性を高めることができ、これにより、除霜運転時の融解水を室外側熱交換器５０Ａから外部へ排水することができる。すなわち、室外側熱交換器５０Ａは、第１熱交換部材３１の下端部と第２熱交換部材５２の下端部との隙間に融解水が溜まることを防ぐことができる。
【０１２２】
また、室外側熱交換器５０Ａは、底部６３Ａに開口部６３Ａｃが形成されている。これにより、除霜運転時に底部６３Ａに流入した融解水を開口部６３Ａｃから室外側熱交換器５０Ａの外部へより排出しやすくなっている。特に、開口部６３Ａｃの一部が第２熱交換部材５２の傾斜面５２ａと平行になっているため、第２熱交換部材５２が備える、折り曲げられた複数のフィンの下端部に流入した融解水を容易に外部へ排出することができるようになっている。
【０１２３】
また、室外側熱交換器５０Ａでは、側部６１Ａおよび側部６２Ａに、開口部６１Ａａおよび開口部６２Ａａがそれぞれ形成されている。これにより、第１熱交換部材３１および第２熱交換部材５２への外気の通風が妨げられることを抑制することができるので、第１熱交換部材３１および第２熱交換部材５２の熱交換能力が低下することを抑制することができる。
【０１２４】
＜変形例５＞
次に、取付具６０Ａの変形例としての取付具６０Ｂ〜６０Ｅについて、図１８を参照しながら説明する。
【０１２５】
図１８の（ａ）〜（ｃ）は、取付具６０Ｂ〜６０Ｅの斜視図である。
【０１２６】
取付具６０Ｂは、図１８の（ａ）に示すように、取付具６０Ａの側部６２Ａおよび底部６３Ａに代えて、側部６２Ｂ（第２押圧部）および底部６３Ｂを備えている。
【０１２７】
側部６２Ｂは、矩形状をしており、中央に矩形状の開口部６２Ｂａが形成されている。
【０１２８】
底部６３Ｂは、第１部材６３Ｂａと、第２部材６３Ｂｂと、第３部材６３Ｂｃとを備えている。第１部材６３Ｂａおよび第２部材６３Ｂｂは、側部６１Ａの下端と第３部材６３Ｂｃの下端とをそれぞれ接続しており、水平方向に延びている。第１部材６３Ｂａと第２部材６３Ｂｂとの間には、開口部６３Ｂｄ（排水部）が形成されている。
【０１２９】
第３部材６３Ｂｃは、第２熱交換部材５２の傾斜面５２ａと平行になっており、中央から下端まで開口した開口部６３Ｂｅ（排水部）を有するＵ字状になっている。
【０１３０】
上記の構成を有する取付具６０Ｂを室外側熱交換器５０Ａの下端（すなわち、第１熱交換部材３１および第２熱交換部材５２の下端）に取り付けることにより、取付具６０Ａと同様の効果を得ることができる。
【０１３１】
取付具６０Ｃは、図１８の（ｂ）に示すように、側部６１Ｃ（第１押圧部）と、側部６２Ｃ（第２押圧部）と、底部６３Ｃとを備えている。
【０１３２】
側部６１Ｃおよび側部６２Ｃは、矩形状をしており、内部に矩形状の開口部６１Ｃａおよび開口部６２Ｃａがそれぞれ形成されている。
【０１３３】
底部６３Ｃは、第１部材６３Ｃａと、第２部材６３Ｃｂとを備えている。第１部材６３Ｃａは、矩形状をしており、中央に矩形状の開口部６３Ｃｃ（排水部）が形成されている。第１部材６３Ｃａは、水平方向に平行になっている。第２部材６３Ｃｂは、矩形状をしており、中央に矩形状の開口部６３Ｃｄ（排水部）が形成されている。第２部材６３Ｃｂは、第２熱交換部材５２の傾斜面５２ａと平行になっている。
【０１３４】
上記の構成を有する取付具６０Ｃを室外側熱交換器５０Ａの下端に取り付けることにより、取付具６０Ａと同様の効果を得ることができる。なお、側部２１Ｃおよび側部２２Ｃの上端に、ガイド部を設けてもよい。
【０１３５】
取付具６０Ｄは、図１８の（ｃ）に示すように、取付具６０Ｂが複数連なったような構造をしている。取付具６０Ｄは、側部６１Ｄ（第１押圧部）と、側部６２Ｄ（第２押圧部）と、底部６３Ｄと、ガイド部６６（傾斜部）とを備えている。
【０１３６】
側部６１Ｄは、矩形状をしており、水平方向に配列された複数の矩形状の開口部６１Ｄａが形成されている。同様に、側部６２Ｄは、矩形状をしており、水平方向に配列された複数の矩形状の開口部６２Ｄａが形成されている。
【０１３７】
底部６３Ｄは、水平方向に平行な第１面６４と、第２熱交換部材５２の傾斜面５２ａと平行な第２面６５とを備えている。底部６３Ｄには、水平方向に配列された複数の開口部６３Ｄａ（排水部）が形成されている。
【０１３８】
取付具６０Ｄは、取付具６０Ａ〜６０Ｃと比べて、室外側熱交換器５０Ａへの取付面積が大きくなる。その結果、取付具６０Ｄを室外側熱交換器５０Ａに取り付けることにより、第１熱交換部材３１の下端部と、第２熱交換部材５２の下端部との間の距離を広範囲において小さくすることができる。
【０１３９】
〔まとめ〕
本発明の態様１に係る室外側熱交換器（７Ａ〜７Ｆ、３０Ａ〜３０Ｅ、４０Ａ〜４０Ｄ、５０Ａ）は、複数の熱交換部材（第１熱交換部材１１・３１・４１、第２熱交換部材１２・３２・４２・５２）が配列された室外側熱交換器であって、前記複数の熱交換部材の下端部どうしの隙間を狭める取付具（２０Ａ〜２０Ｇ、６０Ａ〜６０Ｄ）を備える。
【０１４０】
上記の構成によれば、複数の熱交換部材の下端部どうしの間の距離を小さくすることができる。その結果、複数の熱交換部材の下端部の間における排水性を高めることができる。これにより、除霜運転時の融解水を室外側熱交換器から外部へ排水することができる。すなわち、隣接する熱交換部材の下端部の隙間に融解水が溜まることを防ぐことができる。
【０１４１】
本発明の態様２に係る室外側熱交換器は、上記態様１において、前記取付具は、前記複数の熱交換部材のうち、両外側に配置された熱交換部材の外面を内側へ向けてそれぞれ押圧する第１押圧部（側部２１Ａ〜２１Ｃ、６１Ａ、６１Ｃ、６１Ｄ）および第２押圧部（側部２２Ａ〜２２Ｃ、６２Ａ〜６２Ｄ）を備える構成であってもよい。
【０１４２】
上記の構成によれば、第１押圧部および第２押圧部が、複数の熱交換部材のうち、両外側に配置された熱交換部材の外面を内側へ向けてそれぞれ押圧するので、複数の熱交換部材の下端部どうしの間の距離を小さくすることができる。
【０１４３】
本発明の態様３に係る室外側熱交換器は、上記態様２において、前記取付具は、前記第１押圧部の下端と前記第２押圧部の下端とを接続する底部（２３Ａ〜２３Ｆ、６３Ａ〜６３Ｄ）を備え、前記底部には、前記底部に流入した水を外部へ排出する排水部（開口部２３Ａｃ〜２３Ｃｃ、溝２３Ｄｄ〜２３Ｆｄ、開口部６３Ａｃ、開口部６３Ｂｄ、開口部６３Ｂｅ、開口部６３Ｃｃ、開口部６３Ｃｄ、開口部６３Ｄａ）が形成されている構成であることが好ましい。
【０１４４】
上記の構成によれば、除霜運転時に底部に流入した融解水を排水部から室外側熱交換器の外部へより排出しやすくすることができる。
【０１４５】
本発明の態様４に係る室外側熱交換器（７Ａ〜７Ｆ、３０Ａ〜３０Ｅ、４０Ａ〜４０Ｄ、５０Ａ）は、上記態様２において、前記第１押圧部および前記第２押圧部には、前記第１押圧部および前記第２押圧部が対向する方向に開口する開口部（２１Ａａ、２２Ａａ、２１Ｂａ，２２Ｂａ、６１Ａａ、６２Ａａ、６２Ｂａ、６１Ｃａ、６２Ｃａ、６１Ｄａ、６２Ｄａ）が形成されている構成であることが好ましい。
【０１４６】
上記の構成によれば、複数の熱交換部材への外気の通風が妨げられることを抑制することができるので、複数の熱交換部材の熱交換能力が低下することを抑制することができる。
【０１４７】
本発明の態様５に係る室外側熱交換器は、上記態様２〜４のいずれかにおいて、前記第１押圧部の上端部および前記第２押圧部の上端部には、上方に向かうにつれて、外側に傾斜する傾斜部（ガイド部２４、６６）が設けられている構成であることが好ましい。
【０１４８】
上記の構成によれば、室外側熱交換器に取付具を容易に取り付けることができる。
【０１４９】
本発明の態様６に係る室外側熱交換器は、上記態様２〜５のいずれかにおいて、前記取付具は、前記両外側に配置された熱交換部材の外面の形状に沿う形状である構成であることが好ましい。
【０１５０】
上記の構成によれば、取付具をコンパクトに設計することができるので、室外側熱交換器が大型化することを抑制することができる。
【０１５１】
本発明の態様７に係る空気調和機１は、態様１〜６のいずれかの室外側熱交換器を備える。
【０１５２】
上記の構成により、態様１と同様の効果を得ることができる。
【０１５３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１５４】
１                                                  空気調和機
７Ａ〜７Ｆ、３０Ａ〜３０Ｅ、４０Ａ〜４０Ｄ、５０Ａ  室外側熱交換器
１１，３１，４１                                    第１熱交換部材（熱交換部材）
１２、３２、４２、５２                              第２熱交換部材（熱交換部材）
２０Ａ〜２０Ｇ、６０Ａ〜６０Ｄ                      取付具
２１Ａ〜２１Ｃ、６１Ａ、６１Ｃ、６１Ｄ              側部（第１押圧部）
２２Ａ〜２２Ｃ、６２Ａ〜６２Ｄ                      側部（第２押圧部）
２３Ａ〜２３Ｆ、６３Ａ〜６３Ｄ                      底部
２３Ａｃ、２３Ｂｃ、２３Ｃｃ、６３Ａｃ、６３Ｂｄ、６３Ｂｅ、６３Ｃｃ、６３Ｃｄ、６３Ｄａ                                            開口部（排水部）
２３Ｄｄ、２３Ｅｄ、２３Ｆｄ                        溝（排水部）
２１Ａａ、２２Ａａ、２１Ｂａ，２２Ｂａ、６１Ａａ、６２Ａａ、６２Ｂａ、６１Ｃａ、６２Ｃａ、６１Ｄａ、６２Ｄａ                        開口部
２４、６６                                          ガイド部（傾斜部）
【図１】
2018091549.tif 000003
【図２】
2018091549.tif 000004
【図３】
2018091549.tif 000005
【図４】
2018091549.tif 000006
【図５】
2018091549.tif 000007
【図６】
2018091549.tif 000008
【図７】
2018091549.tif 000009
【図８】
2018091549.tif 000010
【図９】
2018091549.tif 000011
【図１０】
2018091549.tif 000012
【図１１】
2018091549.tif 000013
【図１２】
2018091549.tif 000014
【図１３】
2018091549.tif 000015
【図１４】
2018091549.tif 000016
【図１５】
2018091549.tif 000017
【図１６】
2018091549.tif 000018
【図１７】
2018091549.tif 000019
【図１８】
2018091549.tif 000020
【図１９】
2018091549.tif 000021